(57)【要約】 【課題】  信号再生時に生じる偏光間位相差が互いに異なる２種類の光磁気記録媒体に対して情報を記録／再生する場合、アクティブな位相補償素子を用いることなしに、サーボ信号検出の性能確保と、光磁気信号検出の性能確保とを両立可能にする。【解決手段】  信号再生時に生じる偏光間位相差が互いに異なる２種類の光磁気記録媒体に情報を記録／再生する光ピックアップ２０では、偏光間における反射率が異なるように光を分岐する第１光分岐部２５ならびに偏光間における反射率および透過率が同等になるように光を分岐し、光分岐によって生じる反射光２９に固定偏光間位相差δを付与する第２光分岐部２６を備える光分岐手段２７が設けられ、第２光分岐部２６で分岐される透過光２８が、第１偏光分離手段３０で偏光分離されて第１受光素子３２に受光され、反射光２９が、第２偏光分離手段３１で偏光分離されて第２受光素子３３に受光される。【選択図】      図１
2005166085.tif 000002
【特許請求の範囲】
【請求項１】
信号再生時に生じる偏光間位相差が互いに異なる２種類の光磁気記録媒体に対して情報を記録および／または再生する光ピックアップにおいて、
光を出射する光源と、
光源からの出射光を光磁気記録媒体に集光するレンズと、
偏光間における反射率が異なるように光を分岐する第１光分岐部ならびに偏光間における反射率および透過率が予め定める比率になるように光を分岐するとともに光分岐によって生じる透過光または反射光のいずれか一方の分岐光に固定偏光間位相差δを付与する第２光分岐部を備える光分岐手段と、
第２光分岐部によって分岐される透過光および反射光をそれぞれ偏光分離する第１および第２偏光分離手段と、
第１および第２偏光分離手段によって偏光分離された光を受光する受光素子とを含むことを特徴とする光ピックアップ。
【請求項２】
第１偏光分離手段と受光素子とを、第２光分岐部による透過光の光軸と垂直な仮想平面内において光分岐手段に対して位置決め調整し、さらに一体化して第１偏光分離光検出素子を形成し、
第２偏光分離手段と受光素子とを、第２光分岐部による反射光の光軸と垂直な仮想平面内において光分岐手段に対して位置決め調整し、さらに一体化して第２偏光分離光検出素子を形成することを特徴とする請求項１記載の光ピックアップ。
【請求項３】
第２光分岐部によって分岐される透過光および反射光の光路を曲げて受光素子に導く光路変更手段をさらに含み、
受光素子は、少なくとも２つ以上あり、それぞれ分割線を有する少なくとも１つ以上の受光部を有し、第２光分岐部によって分岐される透過光を受光する受光素子にある分割線を有する受光部の分割線と、第２光分岐部によって分岐される反射光を受光する受光素子にある分割線を有する受光部の分割線とが互いに略平行になるように設けられ、
第１偏光分離手段と第２偏光分離手段との少なくともいずれか一方は、波面分割線を有する偏光ホログラムであり、波面分割線が、受光素子の受光面の法線に対して略垂直になるように設けられることを特徴とする請求項１記載の光ピックアップ。
【請求項４】
第２光分岐部によって分岐される透過光および反射光の光路を曲げて受光素子に導く光路変更手段をさらに含み、
受光素子は、第２光分岐部によって分岐される透過光を受光する複数の受光部から成る第１受光部群と、第２光分岐部によって分岐される反射光を受光する複数の受光部から成る第２受光部群とを備え、
第１受光部群に含まれる受光部の少なくとも１つは分割線を有し、また第２受光部群に含まれる受光部の少なくとも１つは分割線を有し、
第１および第２受光部群は、
第１受光部群に含まれる受光部の分割線と第２受光部群に含まれる受光部の分割線とが互いに略平行になるように、かつ受光面が互いに平行になるように設けられ、
第１偏光分離手段と第２偏光分離手段との少なくともいずれか一方は、波面分割線を有する偏光ホログラムであり、波面分割線が、第１および第２受光部群の受光面の法線に対して略垂直になるように設けられることを特徴とする請求項１記載の光ピックアップ。
【請求項５】
第２光分岐部によって分岐される透過光および反射光の光路を曲げて受光素子に導く光路変更手段をさらに含み、
受光素子は、少なくとも２つ以上あり、それぞれ分割線を有する少なくとも１つ以上の受光部を有し、第２光分岐部によって分岐される透過光を受光する受光素子にある分割線を有する受光部の分割線と、第２光分岐部によって分岐される反射光を受光する受光素子にある分割線を有する受光部の分割線とが互いに略垂直になるように設けられ、
第１偏光分離手段と第２偏光分離手段との少なくともいずれか一方は、波面分割線を有する偏光ホログラムであり、波面分割線が、受光素子の受光面の法線に対して略平行になるように設けられることを特徴とする請求項１記載の光ピックアップ。
【請求項６】
第２光分岐部によって分岐される透過光および反射光の光路を曲げて受光素子に導く光路変更手段をさらに含み、
受光素子は、第２光分岐部によって分岐される透過光を受光する複数の受光部から成る第１受光部群と、第２光分岐部によって分岐される反射光を受光する複数の受光部から成る第２受光部群とを備え、
第１受光部群に含まれる受光部の少なくとも１つは分割線を有し、また第２受光部群に含まれる受光部の少なくとも１つは分割線を有し、
第１および第２受光部群は、
第１受光部群に含まれる受光部の分割線と第２受光部群に含まれる受光部の分割線とが互いに略垂直になるように、かつ受光面が互いに平行になるように設けられ、
第１偏光分離手段と第２偏光分離手段との少なくともいずれか一方は、波面分割線を有する偏光ホログラムであり、波面分割線が、第１および第２受光部群の受光面の法線に対して略平行になるように設けられることを特徴とする請求項１記載の光ピックアップ。
【請求項７】
光源と、光分岐手段と、第１および第２偏光分離手段と、光路変更手段とが設けられる第１基底部材であって、光源と、光分岐手段と、第１および第２偏光分離手段と、光路変更手段とを一体化させる第１基底部材と、
受光素子が設けられる第２基底部材とをさらに含み、
第１基底部材と第２基底部材とは、
互いに当接する当接面を有し、当接面を基準にして相対的に位置決め調整可能に構成されることを特徴とする請求項５または６記載の光ピックアップ。
【請求項８】
光源は、光の出射方向が受光素子の受光面に対して垂直になるように第１基底部材に設けられ、
第２光分岐部によって反射される反射光の光路を曲げる光路変更手段は、光源から出射される光の光路を曲げて光分岐手段に導くように第１基底部材に設けられることを特徴とする請求項７記載の光ピックアップ。
【発明の詳細な説明】
【技術分野】
【０００１】
本発明は、信号再生時に生じる偏光間位相差が互いに異なる２種類の光磁気記録媒体に対して情報を記録および／または再生する光ピックアップに関する。
【背景技術】
【０００２】
記録媒体に光と磁気とを併用して情報を記録する光磁気記録媒体では、情報記録量の大容量化を目的として、ランドとグルーブとの両方に情報を記録／再生するいわゆるランド・グルーブ記録、情報記録面を多層化する多層膜記録などが行なわれている。しかしながら、ランド・グルーブ記録が行なわれる光磁気記録媒体では、信号再生時に、光磁気記録媒体の反射によって生成される偏光間に互いに異なる位相変化を生じる場合がある。また多層膜記録が行われる光磁気記録媒体では、信号再生時に記録層で起こるカー回転効果による偏光面変化に起因して、多層膜中において偏光間で位相差が生じ、純粋に信号成分を表すものではなくなることがある。
【０００３】
このような偏光間に位相変化を生じた場合においても、良好な信号再生状態を得ることを目的として、電気的に制御するなどの手段によって外部から制御することのできるアクティブな位相補償用の素子を、光ピックアップに搭載して位相補償を行なう技術がある（たとえば、特許文献１参照）。
【０００４】
図１９は、位相補償素子を備える従来の光ピックアップ１の構成を示す系統図である。従来の光ピックアップ１は、ランド・グルーブ記録方式の光磁気記録媒体６に対して情報の記録／再生を行う。従来の光ピックアップ１では、半導体レーザ２から発した光束が、その大半が偏光ビームスプリッタ３を透過し、光がコリメータレンズ４を透過して略平行光にされ、対物レンズ５によって光磁気記録媒体６の情報記録層に集光される。
【０００５】
光磁気記録媒体６の反射によって生成された偏光は、再び対物レンズ５とコリメータレンズ４とを透過し、偏光ビームスプリッタ３によって反射されて、偏光位相補償素子７へ入射する。偏光位相補償素子７は、偏光位相補償素子駆動回路８によって電気的に駆動され、現在再生しているトラックがランド部かグルーブ部かの情報に基づいてランド部とグルーブ部とで異なる偏光位相差を光束に印加、すなわち偏光間の位相差を補償して出射する。偏光位相補償素子７を出射した光は、ウォラストンプリズム９で偏光分離された後、検出レンズ１０により集光され、再生用センサ１１で検出される。
【０００６】
多層膜で構成される記録層を有し、かつ信号再生時に生じる偏光間位相差が互いに異なる複数種の光磁気記録媒体に情報を記録または再生する際、偏光間の位相補償をするために従来技術に開示されるようなアクティブな位相補償素子を光ピックアップに搭載すると、位相補償素子を駆動させるための電力が別途必要になる。したがって、携帯機器などのように省電力化が重要な装置に、前述のようなアクティブな位相補償素子を用いると、駆動および制御電力分の消費電力が増加することになり不利である。
【０００７】
また位相差が生じる偏光を単純に２つに分岐して検出することも考えられるけれども、分岐されたそれぞれの光路で光磁気信号を得る場合、その光量が減少するので、２種類の光磁気記録媒体双方における光磁気信号の変調度がともに低い場合などは、特に受光部での耐ノイズ性能が劣化するという問題がある。
【０００８】
また、従来多用されているように、２つの異なる光磁気記録媒体を再生する際の信号検出を、一つの分岐光路上に設けられる受光素子で行おうとすると、サーボ信号を検出するために要求される性能と、光磁気信号を検出するために要求される性能とに大きな差が生じた際に問題が生ずる。たとえば、１つの受光素子でサーボ信号検出と光磁気信号検出とを兼ねる場合、光磁気信号検出時の耐ノイズ性能を向上するためには受光素子の大きさを小さくしなければならないという要求があるにも関わらず、受光素子サイズの調整がサーボ信号検出能を基準として行われるので、充分なサーボ信号検出能を得るために受光素子サイズを大きくしなければならず、光磁気信号検出における耐ノイズ性能が、サイズを大きくした分だけ損なわれるという問題がある。
【０００９】
【特許文献１】特開２０００−３０６２７８号公報
【発明の開示】
【発明が解決しようとする課題】
【００１０】
本発明の目的は、信号再生時に生じる偏光間位相差が互いに異なる２種類の光磁気記録媒体に対して情報を記録、再生する場合において、アクティブな位相補償素子を用いることなしに、サーボ信号検出の性能確保と、光磁気信号検出の性能確保とを両立できる光ピックアップを提供することである。
【課題を解決するための手段】
【００１１】
本発明は、信号再生時に生じる偏光間位相差が互いに異なる２種類の光磁気記録媒体に対して情報を記録および／または再生する光ピックアップにおいて、
光を出射する光源と、
光源からの出射光を光磁気記録媒体に集光するレンズと、
偏光間における反射率が異なるように光を分岐する第１光分岐部ならびに偏光間における反射率および透過率が予め定められる比率になるように光を分岐するとともに光分岐によって生じる透過光または反射光のいずれか一方の分岐光に固定偏光間位相差δを付与する第２光分岐部を備える光分岐手段と、
第２光分岐部によって分岐される透過光および反射光をそれぞれ偏光分離する第１および第２偏光分離手段と、
第１および第２偏光分離手段によって偏光分離された光を受光する受光素子とを含むことを特徴とする光ピックアップである。
【００１２】
また本発明は、第１偏光分離手段と受光素子とを、第２光分岐部による透過光の光軸と垂直な仮想平面内において光分岐手段に対して位置決め調整し、さらに一体化して第１偏光分離光検出素子を形成し、
第２偏光分離手段と受光素子とを、第２光分岐部による反射光の光軸と垂直な仮想平面内において光分岐手段に対して位置決め調整し、さらに一体化して第２偏光分離光検出素子を形成することを特徴とする。
【００１３】
また本発明は、第２光分岐部によって分岐される透過光および反射光の光路を曲げて受光素子に導く光路変更手段をさらに含み、
受光素子は、少なくとも２つ以上あり、それぞれ分割線を有する少なくとも１つ以上の受光部を有し、第２光分岐部によって分岐される透過光を受光する受光素子にある分割線を有する受光部の分割線と、第２光分岐部によって分岐される反射光を受光する受光素子にある分割線を有する受光部の分割線とが互いに略平行になるように設けられ、
第１偏光分離手段と第２偏光分離手段との少なくともいずれか一方は、波面分割線を有する偏光ホログラムであり、波面分割線が、受光素子の受光面の法線に対して略垂直になるように設けられることを特徴とする。
【００１４】
また本発明は、第２光分岐部によって分岐される透過光および反射光の光路を曲げて受光素子に導く光路変更手段をさらに含み、
受光素子は、第２光分岐部によって分岐される透過光を受光する複数の受光部から成る第１受光部群と、第２光分岐部によって分岐される反射光を受光する複数の受光部から成る第２受光部群とを備え、
第１受光部群に含まれる受光部の少なくとも１つは分割線を有し、また第２受光部群に含まれる受光部の少なくとも１つは分割線を有し、
第１および第２受光部群は、
第１受光部群に含まれる受光部の分割線と第２受光部群に含まれる受光部の分割線とが互いに略平行になるように、かつ受光面が互いに平行になるように設けられ、
第１偏光分離手段と第２偏光分離手段との少なくともいずれか一方は、波面分割線を有する偏光ホログラムであり、波面分割線が、第１および第２受光部群の受光面の法線に対して略垂直になるように設けられることを特徴とする。
【００１５】
また本発明は、第２光分岐部によって分岐される透過光および反射光の光路を曲げて受光素子に導く光路変更手段をさらに含み、
受光素子は、少なくとも２つ以上あり、それぞれ分割線を有する少なくとも１つ以上の受光部を有し、第２光分岐部によって分岐される透過光を受光する受光素子にある分割線を有する受光部の分割線と、第２光分岐部によって分岐される反射光を受光する受光素子にある分割線を有する受光部の分割線とが互いに略垂直になるように設けられ、
第１偏光分離手段と第２偏光分離手段との少なくともいずれか一方は、波面分割線を有する偏光ホログラムであり、波面分割線が、受光素子の受光面の法線に対して略平行になるように設けられることを特徴とする。
【００１６】
また本発明は、第２光分岐部によって分岐される透過光および反射光の光路を曲げて受光素子に導く光路変更手段をさらに含み、
受光素子は、第２光分岐部によって分岐される透過光を受光する複数の受光部から成る第１受光部群と、第２光分岐部によって分岐される反射光を受光する複数の受光部から成る第２受光部群とを備え、
第１受光部群に含まれる受光部の少なくとも１つは分割線を有し、また第２受光部群に含まれる受光部の少なくとも１つは分割線を有し、
第１および第２受光部群は、
第１受光部群に含まれる受光部の分割線と第２受光部群に含まれる受光部の分割線とが互いに略垂直になるように、かつ受光面が互いに平行になるように設けられ、
第１偏光分離手段と第２偏光分離手段との少なくともいずれか一方は、波面分割線を有する偏光ホログラムであり、波面分割線が、第１および第２受光部群の受光面の法線に対して略平行になるように設けられることを特徴とする。
【００１７】
また本発明は、光源と、光分岐手段と、第１および第２偏光分離手段と、光路変更手段とが設けられる第１基底部材であって、光源と、光分岐手段と、第１および第２偏光分離手段と、光路変更手段とを一体化させる第１基底部材と、
受光素子が設けられる第２基底部材とをさらに含み、
第１基底部材と第２基底部材とは、
互いに当接する当接面を有し、当接面を基準にして相対的に位置決め調整可能に構成されることを特徴とする。
【００１８】
また本発明は、光源は、光の出射方向が受光素子の受光面に対して垂直になるように第１基底部材に設けられ、第２光分岐部によって反射される反射光の光路を曲げる光路変更手段は、光源から出射される光の光路を曲げて光分岐手段に導くように第１基底部材に設けられることを特徴とする。
【発明の効果】
【００１９】
本発明によれば、光分岐手段を、偏光間における反射率が異なるように光を分岐する第１光分岐部と、偏光間における反射率および透過率が予め定められる比率になるように光を分岐するとともに光分岐によって生じる透過光または反射光のいずれか一方の分岐光に固定偏光間位相差δを付与する第２光分岐部とを備える構成とすることによって、偏光間の位相補償機能と光路分離機能とを１つの光分岐手段で実現することができるので、偏光間で透過特性に差を出すことのみを目的とした第１光分岐部に設けられる偏光膜と、偏光間に固定位相差を付加することを目的とした第２光分岐部に設けられる偏光膜とを、それぞれ独立させて設計することができる。このことによって、偏光間における位相差の補償を一層安定して行うことが可能になる。また、サーボ信号検出性能確保に重要な受光素子に対する入射位置調整の容易さを保ちつつ、光磁気信号の検出性能の劣化も回避することができる。
【００２０】
また本発明によれば、第１偏光分離手段と受光素子とが、第２光分岐部による透過光の光軸と垂直な仮想平面内おいて、光分岐手段に対して位置決め調整されて一体化され、第２偏光分離手段と受光素子とが、第２光分岐部による反射光の光軸と垂直な仮想平面内おいて、光分岐手段に対して位置決め調整されて一体化され、第１および第２偏光分離光検出素子が構成される。このように、第１および第２偏光分離光検出素子においては、受光素子と第１偏光分離手段とが、また受光素子と第２偏光分離手段とが、所定の位置関係になるようにそれぞれ一体化されているので、偏光分離後の光を受光素子上における所定の受光部の位置に入射させることができる。
【００２１】
したがって、第１および第２偏光分離光検出素子の光分岐手段に対する位置決めは、２方向の位置調整のみによって行うことができるので、第１および第２偏光分離光検出素子と光分岐手段との相対位置精度も向上し、サーボ信号性能を確保することができる。さらに、第２光分岐部と受光素子との距離に関する誤差も小さくなるので、光軸方向の誤差による受光素子への入射時の光スポットの拡大も小さく抑えることができる。このことによって、受光素子に備わる受光部のサイズを小さくできるので、入射光量の減少に起因する光磁気信号検出性能の劣化を防止することができる。
【００２２】
また本発明によれば、第２光分岐部による透過光を受光する受光部が有する分割線と、反射光を受光する受光部が有する分割線とが、略平行になるように受光素子が設けられ、第１および第２偏光分離手段のうちの少なくともいずれか一方を構成するところの波面分割線を有する偏光ホログラムは、その波面分割線が、受光素子の受光面の法線に対して略垂直になるように設けられる。
【００２３】
このような光ピックアップでは、受光面における受光部の配列方向を１方向に揃えることができ、また受光素子の位置決め調整時に発生する位置誤差の補正方向も直交する２方向に完全に独立させることができる。このことによって、受光素子の受光面における受光部の位置関係が固定されているにもかかわらず、位置決め調整のために予め与えられる受光部一つ一つで見た受光部サイズの許容範囲を、一方向に設けるだけでよいので、受光部サイズを小さく抑えることができる。この受光部サイズを小さく抑えることによって、光磁気信号検出性能劣化の回避を実現している。
【００２４】
また本発明によれば、第２光分岐部による透過光を受光する受光部が有する分割線と、反射光を受光する受光部が有する分割線とが、略垂直になるように受光素子が設けられ、第１および第２偏光分離手段のうちの少なくともいずれか一方を構成するところの波面分割線を有する偏光ホログラムは、その波面分割線が、受光素子の受光面の法線に対して略平行になるように設けられる。このような光ピックアップでは、透過光を受光する受光部と、反射光を受光する受光部とが、位置決め調整時に発生する位置誤差を吸収する方向を、それぞれ１方向に設けるだけで良く、受光部一つ一つで見た場合の受光部サイズの拡大を１方向に抑えることができるので、受光部サイズを小さく抑えることができる。この受光部サイズを小さく抑えることによって、光磁気信号検出性能劣化の回避を実現している。
【００２５】
また本発明によれば、光源と、光分岐手段と、第１および第２偏光分離手段と、光路変更手段とが一体的になるように設けられる第１基底部材と、受光素子の設けられる第２基底部材とが、共通の基準面に従って位置決めされるので、第２光分岐部による透過光および反射光の受光素子に対する入射角度の精度が高められ、また光軸方向における光路長誤差が抑制される。このことによって、受光部における誤差吸収のための余裕代を小さくすることができるので、光磁気信号検出性能劣化を抑制することができる。
【００２６】
また本発明によれば、光源が、光の出射方向が受光素子の受光面に対して垂直になるように第１基底部材に設けられ、また第２光分岐部によって反射される反射光の光路を曲げる光路変更手段は、光源から出射される光の光路を曲げて光分岐手段に導くように第１基底部材に設けられる。このことによって、光源のたとえば発光点が配置される位置と、第２光分岐部による反射光を受光する受光素子の初期位置（たとえば受光素子の中心）とを、受光素子の位置決め調整を行う２方向のうちの１方向に揃えることができるので、残る１方向において調整するだけで受光素子の位置決めを行うことが可能になり、受光素子の位置決め精度を向上することができる。
【発明を実施するための最良の形態】
【００２７】
図１は、本発明の実施の一形態である光ピックアップ２０の構成を簡略化して示す正面図である。光ピックアップ２０は、光を出射する光源２１と、光源２１からの出射光を光磁気記録媒体２２に集光するレンズである半有限系レンズ２３および対物レンズ２４と、偏光間における反射率が異なるように光を分岐する第１光分岐部２５ならびに偏光間における反射率および透過率が同等になるように光を分岐するとともに光分岐によって生じる反射光に固定偏光間位相差δを付与する第２光分岐部２６を備える光分岐手段２７と、第２光分岐部２６によって分岐される透過光２８および反射光２９をそれぞれ偏光分離する第１および第２偏光分離手段３０，３１と、第１および第２偏光分離手段３０，３１によって偏光分離された光を、それぞれ受光する受光素子である第１および第２受光素子３２，３３とを含んで構成される。この光ピックアップ２０は、信号再生時に生じる偏光間位相差が互いに異なる２種類の光磁気記録媒体２２に対して情報を記録および／または再生することに用いられる。
【００２８】
次に、図１中に示すｘ−ｙ−ｚの３軸方向について説明する。光磁気記録媒体２２が光ピックアップ２０に装着された状態で、光磁気記録媒体２２の半径方向、すなわち図１の紙面における左右方向をｘ軸方向とし、ｘ軸に直交する方向であって光磁気記録媒体２２の情報記録面に形成されるトラックの接線方向をｚ軸方向とし、ｘ軸とｚ軸とに直交する方向であって光磁気記録媒体２２の情報記録面に対して集光される光の軸方向をｙ方向とする。このｘ−ｙ−ｚ軸によって表される３次元の方向は、本明細書を通じて共通に用いられる。
【００２９】
光源２１は、たとえば半導体レーザによって実現される。光分岐手段２７は、本実施の形態では、偏光ビームスプリッタ（Polarized light Beam Splitter；略称ＰＢＳ）である。ＰＢＳ２７の第１光分岐部２５は、光磁気記録媒体２２において反射された光である戻り光の一方の偏光成分に対して、その反射率に差を与える偏光膜によって実現され、たとえば、光源２１からの出射光の偏光方向がｘ方向である場合、戻り光に生じるｚ方向の偏光成分を１００％反射し、ｘ方向の偏光成分を３０％反射するように構成される。
【００３０】
ＰＢＳ２７の第２光分岐部２６は、光を予め定められる固定比率で２つの光路に分岐させるとともに、反射光２９のみに偏光間の固定位相差δを付与する偏光膜によって実現され、たとえばｙ方向の偏光成分およびｚ方向の偏光成分をそれぞれ５０％ずつ反射させるように構成される。
【００３１】
第１偏光分離手段３０は、たとえば偏光間で屈折率が異なる物質から成る偏光ホログラムによって実現され、第１回折部３４を備える。第１受光素子３２は、たとえばフォトダイオードなどの光電変換素子であり、受光した光信号を電気信号に変換することができる。第１偏光分離手段３０と第１受光素子３２とは、透明素材から成り対向する２面が平行に仕上げられた第１スペーサ部材３５の該２面にそれぞれ装着されて一体化され、第１偏光分離光検出素子３６を構成する。第１スペーサ部材３５に対する第１偏光分離手段３０および第１受光素子３２の装着に際しては、第２光分岐部２６による透過光２８の光軸３７と垂直な仮想平面内においてＰＢＳ２７に対して位置決め調整、すなわち第１偏光分離手段３０による透過光２８の回折光および非回折光が第１受光素子３２の所定の位置に入射するように位置決め調整され、その後装着される。
【００３２】
第２偏光分離手段３１は、第１偏光分離手段３０と同様に構成され、第２回折部３８を備える。また、第１偏光分離光検出素子３６と同様にして、第２偏光分離手段３１と第２受光素子３３とが、第２光分岐部２６による反射光２９の光軸４１と垂直な仮想平面内においてＰＢＳ２７に対して位置決め調整された後、第２スペーサ部材３９に装着されて第２偏光分離光検出素子４０を構成する。
【００３３】
なお、第２偏光分離手段３１は、第２光分岐部２６による反射光２９の光路上と光源２１からの出射光の光路上とに及んで設けられる。したがって、光源２１からの出射光を分割する必要があるときには、第２偏光分離手段３１の光源２１からの出射光の光路上に回折格子を設けることによって対応することができる。
【００３４】
以下光ピックアップ２０の動作について説明する。光源２１から出射した光は、第２偏光分離手段３１とＰＢＳ２７の第１光分岐部２５とを透過し、半有限系レンズ２３および対物レンズ２４によって光磁気記録媒体２２に集光される。
【００３５】
光磁気記録媒体２２によって反射された戻り光は、再び対物レンズ２４および半有限系レンズ２３を透過し、ＰＢＳ２７に入射する。ＰＢＳ２７に入射した戻り光は、第１分岐部２５に設定される偏光間の反射率に応じて反射され、第２光分岐部２６へ導かれる。第２光分岐部２６へ入射した光は、予め設定される偏光間の透過率および反射率に応じて透過および反射され、透過光２８と反射光２９とに分岐される。また第２光分岐部２６による反射光２９には、固定偏光間位相差δが与えられる。
【００３６】
透過光２８は、第１偏光分離手段３０によって偏光分離された後、第１スペーサ部材３５を透過して第１受光素子３２に受光される。すなわち透過光２８は第１偏光分離光検出素子３６によって受光検出される。また反射光２９は、第２偏光分離手段３１によって偏光分離された後、第２スペーサ部材３９を透過して第２受光素子３３に受光される。すなわち反射光２９は第２偏光分離光検出素子４０によって受光検出される。
【００３７】
このように、光ピックアップ２０では、第２光分岐部２６によって分岐される透過光と反射光とのいずれかを、２種類の光磁気記録媒体それぞれの信号再生に用いることができる。すなわち、偏光間で反射特性に差を出すことのみを目的として設計される第１光分岐部２５に設けられる偏光膜と、偏光間に位相差を付加することを目的とした第２光分岐部２６に設けられる偏光膜とを全く独立に設計することができるので、偏光間位相差の補償をより安定して行うことが可能になる。したがって、信号再生時の偏光間位相差が異なる２種類の光磁気記録媒体を記録再生できる光ピックアップが実現できる。
【００３８】
また、固定偏光間位相差δの与え方は、光磁気記録媒体に依存する。たとえば、信号再生時に偏光間位相差が発生しない光磁気記録媒体と、Domain-Wall Displacement
Detection（略称ＤＷＤＤ）媒体のような偏光間位相差を発生する光磁気記録媒体とを再生する光ピックアップを構成する場合、第２光分岐部の偏光膜ではＤＷＤＤ媒体を再生できるように反射光に対して固定偏光間位相差δ（＝６０°）を与え、透過光には偏光間位相差を与えない。
【００３９】
本実施の形態の光ピックアップ２０においては、光磁気記録媒体２２からの戻り光を分岐することによって生じる光量の低下の影響を以下の方法でカバーしている。第１および第２偏光分離手段３０，３１と第１および第２受光素子３２，３３とが、それぞれ予め一体化された第１および第２偏光分離光検出素子３６，４０を構成する。このことによって、第１および第２偏光分離手段３０，３１でそれぞれ分離された光は、一体化された部材内で第１および第２受光素子３２，３３にそれぞれ入射することができる。
【００４０】
したがって、一体化されている第１および第２偏光分離光検出素子３６，４０を、光軸方向に垂直な面内だけで、ＰＢＳ２７に対して位置決め調整して固定すれば良いので、位置決め調整時に発生する誤差を小さくすることができ、また光軸方向の光路長誤差による受光素子３２，３３への入射光のスポット拡大も小さく抑えられる。このことによって、受光素子３２，３３の受光部サイズを小さくすることができるので、受光素子３２，３３の耐ノイズ性能を大きく向上できる。
【００４１】
図２は本発明の実施の第２の形態である光ピックアップ４５の構成を簡略化して示す部分平面図であり、図３は図２に示す光ピックアップ４５の正面図であり、図４は図２の切断面線ＩＶ−ＩＶから見た断面図である。本実施の形態の光ピックアップ４５は、実施の第１形態の光ピックアップ２０に類似し、対応する部分については同一の参照符号を付して説明を省略する。なお、本実施の形態を表す図では、半有限系レンズ２３、対物レンズ２４および光磁気記録媒体２２を省略している。
【００４２】
光ピックアップ４５では、第２光分岐部２６による透過光２８がＰＢＳ２７から出射する位置に第１回折部４６を備える第１偏光分離手段４７が装着され、第２光分岐部２６による反射光２９がＰＢＳ２７から出射する位置に第２回折部４８を備える第２偏光分離手段４９が装着されて、ＰＢＳ２７と第１および第２偏光分離手段４７，４９とが一体化された部材を構成する。なお本実施の形態の光ピックアップ４５では、第２偏光分離手段４９の光源２１からの出射光の光路上に回折格子５０が備えられ、出射光を光分岐する機能を有している。
【００４３】
また光ピックアップ４５は、第２光分岐部２６による透過光２８および反射光２９の光路を曲げて受光素子５１へ導く光路変更手段を備える。第２光分岐部２６による透過光２８は、第１偏光分離手段４７によって偏光分離された後、光路変更手段である第１落射ミラー５２によってほぼ９０度光路を曲げられて、受光素子５１に備えられ複数の受光部から成る第１受光部群５３へ入射する。第２光分岐部２６による反射光２９は、第２偏光分離手段４９によって偏光分離された後、光路変更手段である第２落射ミラー５４によってほぼ９０度光路を曲げられて、受光素子５１に備えられ複数の受光部から成る第２受光部群５５へ入射する。なお、第１落射ミラー５２は、受光素子５１に貼り付けられている。
【００４４】
図５は、受光素子５１に備わる第１および第２受光部群５３，５５の構成を示す平面図である。前述の図２〜図４に示したように、光ピックアップ４５では、１つの受光素子５１のみが設けられる。しかしながら、１つの受光素子５１には、第２光分岐部２６による透過光２８の受光位置に第１受光部群５３が設けられ、第２光分岐部２６による反射光２９の受光位置に第２受光部群５５が設けられ、第１受光部群５３と第２受光部群５５とは、その受光面が互いに略平行になるように設けられる。
【００４５】
なお、ここで複数の受光部から構成される第１および第２受光部群５３，５５は、受光部群なる呼称に限定されることなく、それぞれが単独の受光素子の受光部群であってもよい。
【００４６】
本実施の形態では、第１受光部群５３は、６つの第１〜第６受光部５３ａ，５３ｂ，５３ｃ，５３ｄ，５３ｅ，５３ｆを備える。６つの受光部のうち、第１受光部５３ａと第２受光部５３ｂとは、ｙ方向に平行な第１分割線５６によって２分割されたものであり、また第５受光部５３ｅと第６受光部５３ｆとは、ｙ方向に平行な第２分割線５７によって２分割されたものである。第２受光部群５５は、８つの第１１〜第１８受光部５５ａ，５５ｂ，５５ｃ，５５ｄ，５５ｅ，５５ｆ，５５ｇ，５５ｈを備える。８つの受光部のうち、第１１受光部５５ａと第１２受光部５５ｂ、第１５受光部５５ｅと第１６受光部５５ｆ、第１７受光部５５ｇと第１８受光部５５ｈとは、ｙ方向に平行な第３分割線５８ａ、第４分割線５８ｂ、第５分割線５８ｃによってそれぞれ２分割されたものである。
【００４７】
第１および第２受光部群５３，５５は、第１受光部群５３に含まれる受光部を分割する第１および第２分割線５６，５７と、第２受光部群５５に含まれる受光部を分割する第３分割線５８ａ、第４分割線５８ｂ、第５分割線５８ｃとが、互いに略平行になるように配設される。
【００４８】
また光ピックアップ４５は、第１偏光分離手段４７に備わる第１回折部４６に特徴を有する。図６は、第１偏光分離手段４７に備わる第１回折部４６の構成を簡略化して示す図である。第１偏光分離手段４７は偏光ホログラムであり、第１偏光分離手段４７に備わる第１回折部４６が波面分割線６０を有している。第１回折部４６は回折格子であり、この第１回折部４６は、受光素子５１の受光面の法線であるｚ方向に対して垂直なｙ方向に延びる前述の波面分割線６０を有している。第１回折部４６は、波面分割線６０によって、回折方向の異なる２つの第１および第２回折領域６１，６２に分割される。第２光分岐部２６による透過光２８は、第１および第２回折領域６１，６２によって、それぞれの＋１次、−１次の回折光として４方向に分けられる。
【００４９】
また、第１偏光分離手段４７における回折は偏光分離とともに行われ、直交する偏光成分の一方のみが回折される。したがって、第１回折領域６１からの回折光は、第１受光部群５３の第１および第２受光部５３ａ、５３ｂに入射し、同じ回折次数であって符号が逆の成分は、第５受光部５３ｅに入射する。同様に、第２回折領域６２からの回折光は、第３受光部５３ｃに入射し、同じ回折次数であって符号が逆の成分は、第６受光部５３ｆに入射する。さらに非回折光は、第４受光部５３ｄに入射する。
【００５０】
第１受光部群５３を構成する各受光部を示す参照符のアルファベットに「Ｆ」を付して受光信号を表すと、光磁気信号（略称ＭＯ）は、式（１）で与えられ、フォーカスエラー信号（略称ＦＥＳ）は、式（２）で与えられる。
ＭＯ＝（Ｆａ＋Ｆｂ＋Ｆｃ＋Ｆｅ＋Ｆｆ）−Ｆｄ                    …（１）
ＦＥＳ＝Ｆａ−Ｆｂ                                              …（２）
【００５１】
なお、第２光分岐部２６による反射光２９は、第２偏光分離手段４９を経て第２落射ミラー５４で光路を曲げられ、第２受光部群５５によって受光される。第２偏光分離手段４９に備わる第２回折部４８には分割線がなく、また、ラジアルエラー信号（略称ＲＥＳ）検出には、光源２１から出射された光を回折格子５０において、１つのメインビームと２つのサブビームとに分けて得られる３つのビームを用いる手法を用いるので、第２受光部群５５における受光部は、図５（ｂ）に示すように配置され、その配置は第１受光部群５３における受光部の配置とは異なる。
【００５２】
第２受光部群５５を構成する各受光部を示す参照符のアルファベットに「Ｒ」を付して受光信号を表すと、ＲＥＳは式（３）で与えられる。なお、式（３）におけるｋ１、ｋ２は、比例定数である。
ＲＥＳ＝（Ｒａ−Ｒｂ）−ｋ１{（Ｒｅ−Ｒｆ）−ｋ２（Ｒｇ−Ｒｈ）}
…（３）
【００５３】
また、第２光分岐部２６による反射光２９によって、ＭＯを検出する場合、ＭＯは、式（４）によって与えられる。
ＭＯ＝（Ｒｄ＋Ｒｃ）−（Ｒａ＋Ｒｂ）                            …（４）
【００５４】
光ピックアップ４５に備わる受光素子５１のように、受光素子を１つの部材とすることによって、受光素子へ到達する光の光軸方向の光路長誤差を小さくすることができる。しかしながら、その一方で、受光素子が一体化することによって、受光部群の位置決め調整のための位置誤差に対応しなくてはならなくなる。光ピックアップ４５では、第１偏光分離手段４７に備わる第１回折部４６の波面分割線６０を前述のように定め、かつ第１および第２受光部群５３，５５に含まれる受光部を分割する第１〜第５分割線５６，５７，５８ａ，５８ｂ，５８ｃを平行にし、分割された受光部をほぼ平行に配置することによって、受光部群の位置決め調整のための位置誤差に対応できる構成を実現し、受光部サイズを小さく抑えることを可能にしている。
【００５５】
以下、受光部サイズを小さくできる理由について説明する。第１および第２受光部群５３，５５に対する第２光分岐部２６による透過光２８および反射光２９の入射位置調整操作は、次のように行われる。第１受光部群５３については、受光素子５１をｚ方向に移動させるとともに、第１落射ミラー５２における透過光２８の反射位置を変えることによって、第１および第２受光部５３ａ、５３ｂでの受光量が均等になるように入射位置調整がなされる。このとき、光源２１とＰＢＳ２７と第２落射ミラー５４とは、不図示のサブマウントなどを利用した同一の部材に固定されており、受光素子５１はこの部材に対して相対的に位置決め調整される。
【００５６】
一方、第２受光部群５５については、第１１および第１２受光部５５ａ、５５ｂでの受光量が均等になるように、受光素子５１をｘ、ｙの２方向に移動させて入射位置調整がなされる。この第２受光部群５５に対する入射位置調整に際して、まず受光素子５１をｙ方向に移動させるとき、第１受光部群５３の第１受光部５３ａから第６受光部５３ｆは、ｙ方向に平行に長手方向が位置する長方形に形成されることによって、長手方向であるｙ方向への位置調整時の位置ずれ誤差を許容することができる。また受光素子５１をｘ方向に移動させるとき、第１落射ミラー５２が受光素子５１に固定されており、先にｚ方向における位置決め調整が行われているので、第１落射ミラー５２によって反射された透過光２８の第１受光部群５３に対する照射位置は、第１受光部５３ａから第６受光部５３ｆの短辺方向であるｘ方向に移動することがない。したがって、最小サイズで受光部サイズを設計することができ、耐ノイズ性能を充分に確保できる。
【００５７】
また、第２受光部群５５に対する入射位置調整時におけるｘ方向またはｙ方向の位置ずれ誤差吸収を行うため、第１３および第１４受光部５５ｃ，５５ｄはｘ方向に平行に長手方向が位置し、第１５〜第１８受光部５５ｅ，５５ｆ，５５ｇ，５５ｈはｙ方向に平行に長手方向が位置する長方形にそれぞれ形成される。すなわち、第２受光部群５５に含まれる一つ一つの受光部は、すべて位置誤差吸収方向をｘ方向またはｙ方向のいずれか一つにしてあるので、受光部一つ一つで見た場合に、受光部サイズの拡大を一方向に抑えることができ、受光部サイズを小さく抑えることが可能なように構成される。
【００５８】
以上のように、本実施の形態の光ピックアップ４５の構成によれば、光路分岐後のそれぞれの分岐光路で検出する光磁気信号検出に必要な偏光間の位相差を所定の値にしつつ、しかも光源２１の出射光量を上げることなく、光磁気信号検出性能を確保できる。
【００５９】
図７は本発明の実施の第３の形態である光ピックアップ６５の構成を簡略化して示す部分平面図であり、図８は図７に示す光ピックアップ６５の正面図であり、図９は図７に示す光ピックアップ６５の右側面図である。本実施の形態の光ピックアップ６５は、実施の第２形態の光ピックアップ４５に類似し、対応する部分については同一の参照符号を付して説明を省略する。
【００６０】
光ピックアップ６５では、第１偏光分離手段６６および第２偏光分離手段４９がＰＢＳ２７に装着され、第１落射ミラー５２が第１偏光分離手段６６にＰＢＳ２７と反対側で装着され、第２落射ミラー５４が第２偏光分離手段４９にＰＢＳ２７と反対側で装着されて、これらの部材が一体化されている。また光源２１は、サブマウント６７上に装着され、このサブマウント６７が第２偏光分離手段４９に装着される。すなわち、光源２１が、サブマウント６７を介して、前述のＰＢＳ２７、第１偏光分離手段６６、第２偏光分離手段４９、第１落射ミラー５２および第２落射ミラー５４と、一体化されている。
【００６１】
本実施の形態の光ピックアップ６５においても、実施の第２形態の光ピックアップ４５と同様に、１つの受光素子６８のみが設けられる。受光素子６８は、複数の受光部から成る第１受光部群６９と、複数の受光部から成る第２受光部群７０とを含んで構成される。図１０は、第１受光部群６９および第２受光部群７０の構成を示す平面図である。
【００６２】
本実施の形態では、第１受光部群６９は、６つの第２１〜第２６受光部６９ａ，６９ｂ，６９ｃ，６９ｄ，６９ｅ，６９ｆを備える。６つの受光部のうち、第２１受光部６９ａと第２２受光部６９ｂとは、ｘ方向に平行な第１分割線７１によって２分割されたものである。６つの第２１〜第２６受光部６９ａ，６９ｂ，６９ｃ，６９ｄ，６９ｅ，６９ｆは、いずれも平面形状が長方形に形成され、該長方形の長手方向が、ｘ方向に平行になるように配置される。
【００６３】
第２受光部群７０は、８つの第３１〜第３８受光部７０ａ，７０ｂ，７０ｃ，７０ｄ，７０ｅ，７０ｆ，７０ｇ，７０ｈを備える。８つの受光部のうち、第３１受光部７０ａと第３２受光部７０ｂ、第３５受光部７０ｅと第３６受光部７０ｆ、第３７受光部７０ｇと第３８受光部７０ｈとは、ｙ方向に平行な第２〜第４分割線７２ａ，７２ｂ，７２ｃによってさらに２分割されたものである。８つの第３１〜第３８受光部７０ａ，７０ｂ，７０ｃ，７０ｄ，７０ｅ，７０ｆ，７０ｇ，７０ｈは、いずれも平面形状が長方形に形成され、該長方形の長手方向が、ｙ方向に平行になるように配置される。
【００６４】
第１受光部群６９と第２受光部群７０とは、第１受光部群６９に含まれる受光部を分割する第１分割線７１と、第２受光部群７０に含まれる受光部を分割する第２分割線７２ａ、第３分割線７２ｂ、第４分割線７２ｃとが、互いに略垂直になるように、かつ受光面が互いに平行になるように配設される。
【００６５】
また光ピックアップ６５は、第１偏光分離手段６６備わる第１回折部である回折格子７３に特徴を有する。図１１は、第１偏光分離手段６６に備わる回折格子７３の構成を簡略化して示す図である。第１偏光分離手段６６は、実施の第２形態と同様に偏光ホログラムであり、第１偏光分離手段６６に備わる第１回折部である回折格子７３が波面分割線７４を有している。回折格子７３が有する波面分割線７４は、受光素子６８の受光面の法線であるｚ方向に対して平行な方向に延びる。回折格子７３は、波面分割線７４によって、回折方向の異なる２つの第１および第２回折領域７５，７６に分割される。
【００６６】
第２光分岐部２６による透過光２８は、波面分割線７４によって分割された回折方向の異なる２つの第１回折領域７５と第２回折領域７６とによって、それぞれの＋１次、−１次の回折光として４方向に分けられる。また、第１偏光分離手段６６における回折は偏光分離とともに行われ、直交する偏光成分の一方のみが回折される。したがって、第１回折領域７５からの回折光は、第１受光部群６９の第２１および第２２受光部６９ａ、６９ｂに入射し、同じ回折次数であって符号が逆の成分は、第２５受光部６９ｅに入射する。同様に、第２回折領域７６からの回折光は、第２３受光部６９ｃに入射し、同じ回折次数であって符号が逆の成分は、第２６受光部６９ｆに入射する。さらに非回折光は、第２４受光部６９ｄに入射する。
【００６７】
本実施の形態の光ピックアップ６５におけるＦＥＳ、ＲＥＳ、ＭＯの検出方法は、実施の第２形態の光ピックアップ４５における検出方法と同様なので、説明を省略する。
【００６８】
光ピックアップ６５では、受光素子６８のみが独立して位置決め調整される。受光素子６８に対する入射位置の位置決め調整に際しては、光源２１、サブマウント６７、ＰＢＳ２７、第１偏光分離手段６６、第２偏光分離手段４９、第１落射ミラー５２および第２落射ミラー５４が一体化され、部品間の隙間、たとえば第１偏光分離手段６６と第１落射ミラー５２との隙間、また第２偏光分離手段４９と第２落射ミラー５４との隙間などが無いので、これらの隙間の大きさが変わることに起因する光軸方向の光路長誤差を抑制することができる。さらに、光ピックアップ６５では、第１偏光分離手段６６に備わる回折格子７３の波面分割線７４をｚ方向に平行になるように設け、第１受光部群６９が有する第１分割線７１と、第２受光部群７０が有する第２〜第４分割線７２ａ，７２ｂ，７２ｃとが、互いにほぼ垂直になるように配置することによって、受光部サイズも小さく抑えている。
【００６９】
以下、光ピックアップ６５において受光部サイズを小さくすることができる理由について説明する。前述のように受光素子６８は、光源２１、サブマウント６７、ＰＢＳ２７、第１偏光分離手段６６、第２偏光分離手段４９、第１落射ミラー５２および第２落射ミラー５４が一体化された部材に対して位置決め調整される。
【００７０】
まず、受光素子６８に備わる第１および第２受光部群６９，７０に対する入射位置の調整操作は、次のように行われる。第１受光部群６９については、受光素子６８をｙ方向に移動させて、第２１受光部６９ａと第２２受光部６９ｂとにおける受光量が均等になるように入射位置調整が行われる。
【００７１】
このとき、第２受光部群７０の８つの受光部７０ａ，７０ｂ，７０ｃ，７０ｄ，７０ｅ，７０ｆ，７０ｇ，７０ｈは、いずれも長方形の長手方向がｙ方向に延びるように配置されているので、ｙ方向である長手方向にのみ移動し、ｘ方向である短手方向へは移動しないように行われる第１受光部群６９に対する入射位置調整時における位置ずれ誤差を許容することができる。
【００７２】
一方、第２受光部群７０については、受光素子６８をｘ方向に移動させて、第３１受光部７０ａと第３２受光部７０ｂとにおける受光量が均等になるよう入射位置調整が行われる。このとき、第１受光部群６９の６つの受光部６９ａ，６９ｂ，６９ｃ，６９ｄ，６９ｅ，６９ｆは、いずれも長方形の長手方向がｘ方向に延びるように配置されているので、ｘ方向である長手方向にのみ移動し、ｙ方向である短手方向へは移動しないように行われる第２受光部群７０に対する入射位置調整時における位置ずれ誤差を許容することができる。
【００７３】
このように、第１および第２受光部群６９，７０は、互いに一方の入射位置調整時における他方の位置ずれ誤差吸収方向が一つの方向になるように構成されるので、受光部一つ一つで見た場合の受光部サイズの拡大を一方向に抑えることができ、受光部サイズを小さく抑えることが可能である。したがって、最小サイズで受光部サイズを設計することができ、耐ノイズ性能を充分に確保できる。このような光ピックアップ６５によれば、ＰＢＳ２７による光路分岐後のそれぞれの分岐光路で検出する光磁気信号検出に必要な偏光間の位相差を所定の値にし、かつ光源の出射光量を上げることなく充分な光磁気信号検出性能を確保できる。
【００７４】
なお、ここでも複数の受光部から構成される第１および第２受光部群６９，７０は、受光部群なる呼称に限定されることなく、それぞれが単独の受光素子の受光部群であってもよい。
【００７５】
図１２は本発明の実施の第４の形態である光ピックアップ８０の構成を簡略化して示す部分平面図であり、図１３は図１２に示す光ピックアップ８０の正面図であり、図１４は図１２に示す光ピックアップ８０の右側面図である。本実施の形態の光ピックアップ８０は、実施の第３形態の光ピックアップ６５に類似し、対応する部分については同一の参照符号を付して説明を省略する。
【００７６】
光ピックアップ８０において注目すべきは、光源２１、サブマウント６７、ＰＢＳ２７、第１偏光分離手段６６、第２偏光分離手段４９、第１および第２落射ミラー５２，５４が、第１基底部材８１に一体化するように設けられることである。第１基底部材８１は、長方形の一辺に矩形状の切欠部８２が形成された平面形状を有する平板状の部材であり、たとえば硬質の樹脂などから成る。受光素子６８は、第２基底部材８３上に設けられる。第２基底部材８３は、長方形の平面形状を有する平板状の部材であり、たとえば硬質の樹脂などから成る。
【００７７】
第１基底部材８１と第２基底部材８３とは、平面形状の長方形の互いの長辺と短辺とがほぼ等しい寸法に形成され、互いに当接する当接面８８、すなわち第１基底部材８１の下面と第２基底部材８３の上面とを、共通面として有するように重ねられる。前述のように第１基底部材８１は、矩形状の切欠部８２を有するので、該切欠部８２においては、第２基底部材８３の上面が外方に露出し、この外方に露出した第２基底部材８３の上面部分に、前述の受光素子６８が設けられる。
【００７８】
なお本実施の形態の光ピックアップ８０では、受光素子６８の上方に位置するようになる第１偏光分離手段６６、第１および第２落射ミラー５２，５４が、第１基底部材８１の切欠部８２の上方に位置することになるので、第１基底部材８１に直接装着することができない。したがって、平板状の形状を有する取付部材８４に、第１および第２ミラー保持部材８５，８６をそれぞれ介して第１および第２落射ミラー５２，５４が装着され、第１取付部材８４に第１偏光分離手段６６がさらに装着され、取付部材８４をＰＢＳ２７に装着することによって、第１偏光分離手段６６、第１および第２落射ミラー５２，５４が、ＰＢＳ２７その他の部材と一体化されている。なお、第１落射ミラー５２が、第１偏光分離手段６６に直接装着される構成であってもよく、また第２落射ミラー５４が、第２偏光分離手段４９に直接装着される構成であってもよい。
【００７９】
本実施の形態の光ピックアップ８０では、第２基底部材８３を、当接面８８を基準面としてｘ−ｙ方向に移動させ、第１基底部材８１に対する相対位置を調整することができる。この第１基底部材８１に対する第２基底部材８３の相対位置調整によって、第２基底部材８３に設けられる受光素子６８と、第１基底部材８１に一体化するように設けられるＰＢＳ２７、第１および第２偏光分離手段６６，４９等との相対的な位置決め調整をすることができるので、受光素子６８に備わる第１および第２受光部群６９，７０に対する入射光の傾きの精度向上、また光軸方向の光路長誤差を小さくすることができる。
【００８０】
なお、受光素子６８は、一体的な１つの素子であるけれども、これに限定されることなく、受光素子は、２つの受光素子として、前述の当接面８８上に設けられる構成であっても良い。２つの受光素子は、同じ基準面である当接面８８上にあり、２つの受光素子の厚さの相違が通常は僅かなので、一体的な１つの素子の場合とほぼ同じ機能、効果を発現することができる。
【００８１】
図１５は、光ピックアップ８０において第１基底部材８１と第２基底部材８３とをＦＰＣ８７で接続した状態を示す図である。光ピックアップ８０では、第１基底部材８１と第２基底部材８３とを、フレキシブルプリント基板（略称ＦＰＣ）８７で接続することができる。第１基底部材８１と第２基底部材８３とを、ＦＰＣ８７で接続することによって、光源２１への給電、受光素子６８からの受電などを、１つのＦＰＣ８７で行うことができる。さらに、第１基底部材８１上に光源２１のレーザーパワー制御用の受光素子を設け、該受光素子からの出力を、ＦＰＣ８７に導入するとともに、光源２１の駆動回路を第２基底部材８３の下面に設けてＦＰＣ８７と接続し、レーザーパワー制御用の受光素子からの出力に応じて駆動回路を動作させて、光源２１の出力を制御することができる。
【００８２】
図１６は本発明の実施の第５の形態である光ピックアップ９０の構成を簡略化して示す部分平面図であり、図１７は図１６に示す光ピックアップ９０の正面図であり、図１８は図１６に示す光ピックアップ８０の右側面図である。本実施の形態の光ピックアップ９０は、実施の第４形態の光ピックアップ８０に類似し、対応する部分については同一の参照符号を付して説明を省略する。
【００８３】
光ピックアップ９０において注目すべきは、光源２１が、光の出射方向が受光素子６８の受光面に対して垂直、すなわちｚ方向になるように第１基底部材９１に設けられ、第２光分岐部２６によって反射される反射光２９の光路を曲げる光路変更手段である第２落射ミラー９２が、光源２１から出射される光の光路を曲げてＰＢＳ２７に導くことができるように第１基底部材９１に設けられることである。
【００８４】
光源２１は、サブマウント９３のｘ−ｚ面に平行な面に固定され、このサブマウント９３が第１基底部材９１に固定されることによって、光源２１が第１基底部材９１に設けられるとともにｚ方向に光を出射できるように構成される。光源２１からｚ方向に出射された光は、第２落射ミラー９２によって光路を９０度曲げられてｙ方向に進み、不図示の半有限系レンズおよび対物レンズを経て、光磁気記録媒体に集光される。
【００８５】
第１偏光分離手段６６、第１落射ミラー５２および第２落射ミラー９２は、前述の実施形態の光ピックアップ８０と同様に、取付部材９４を介して、ＰＢＳ２７と一体化される。また、第２偏光分離手段４９、サブマウント９３および光源２１もＰＢＳ２７と一体化されているので、先の第１偏光分離手段６６、第１落射ミラー５２および第２落射ミラー９２と合わせて７つの部材を、一体化された１つの部材として取扱うことができる。なお、第１落射ミラー５２は、第１ミラー保持部材８５を介して、第２落射ミラー９２は、第２ミラー保持部材９５を介して、取付部材９４に装着される。なお、第１落射ミラー５２が、第１偏光分離手段６６に直接装着される構成であってもよく、また第２落射ミラー９２が、第２偏光分離手段４９に直接装着される構成であってもよい。
【００８６】
光ピックアップ９０では、受光素子６８が第２基底部材９６に固定される。第２基底部材９６に固定される受光素子６８は、第１基底部材９１を基準にし、第２基底部材９６を介して位置合わせすることによって入射位置調整される。
【００８７】
このように、光源２１から出射される光と、光磁気記録媒体で反射され、ＰＢＳ２７の第２光分岐部２６によって分岐されて第２受光部群７０によって受光されるべき反射光２９とが、ともに１つの第２落射ミラー９２で光路を９０度曲げるように構成される本実施の形態の光ピックアップ９０では、光源２１の発光点を基準に受光素子６８の位置決めの初期位置を設定することができる。したがって、受光素子６８の位置決め調整を行うｘ，ｙの２方向のうち、ｘ方向が同じ軸上に設定できるので、受光素子６８の位置決め精度を向上することができる。
【図面の簡単な説明】
【００８８】
【図１】本発明の実施の一形態である光ピックアップ２０の構成を簡略化して示す正面図である。
【図２】本発明の実施の第２の形態である光ピックアップ４５の構成を簡略化して示す部分平面図である。
【図３】図２に示す光ピックアップ４５の正面図である。
【図４】図２の切断面線ＩＶ−ＩＶから見た断面図である。
【図５】受光素子５１に備わる第１および第２受光部群５３，５５の構成を示す平面図である。
【図６】第１偏光分離手段４７に備わる第１回折部４６の構成を簡略化して示す図である。
【図７】本発明の実施の第３の形態である光ピックアップ６５の構成を簡略化して示す部分平面図である。
【図８】図７に示す光ピックアップ６５の正面図である。
【図９】図７に示す光ピックアップ６５の右側面図である。
【図１０】第１受光部群６９および第２受光部群７０の構成を示す平面図である。
【図１１】第１偏光分離手段６６に備わる回折格子７３の構成を簡略化して示す図である。
【図１２】本発明の実施の第４の形態である光ピックアップ８０の構成を簡略化して示す部分平面図である。
【図１３】図１２に示す光ピックアップ８０の正面図である。
【図１４】図１２に示す光ピックアップ８０の右側面図である。
【図１５】光ピックアップ８０において第１基底部材８１と第２基底部材８３とをＦＰＣ８７で接続した状態を示す図である。
【図１６】本発明の実施の第５の形態である光ピックアップ９０の構成を簡略化して示す部分平面図である。
【図１７】図１６に示す光ピックアップ９０の正面図であり、
【図１８】図１６に示す光ピックアップ９０の右側面図である。
【図１９】位相補償素子を備える従来の光ピックアップ１の構成を示す系統図である。
【符号の説明】
【００８９】
２０，４５，６５，８０，９０  光ピックアップ
２１  光源
２２  光記録媒体
２３  半有限系レンズ
２４  対物レンズ
２５  第１光分岐部
２６  第２光分岐部
２７  光分岐手段
２８  透過光
２９  反射光
３０，４７，６６  第１偏光分離手段
３１，４９  第２偏光分離手段
３２  第１受光素子
３３  第２受光素子
３４，４６  第１回折部
３６  第１偏光分離光検出素子
３８，４８  第２回折部
４０  第２偏光分離光検出素子
５０  回折格子
５１，６８  受光素子
５２  第１落射ミラー
５３，６９  第１受光部群
５４，９２  第２落射ミラー
５５，７０  第２受光部群
６７，９３  サブマウント
８１，９１  第１基底部材
８３，９６  第２基底部材
８４，９４  取付部材
８７  ＦＰＣ
【図１】
2005166085.tif 000003
【図２】
2005166085.tif 000004
【図３】
2005166085.tif 000005
【図４】
2005166085.tif 000006
【図５】
2005166085.tif 000007
【図６】
2005166085.tif 000008
【図７】
2005166085.tif 000009
【図８】
2005166085.tif 000010
【図９】
2005166085.tif 000011
【図１０】
2005166085.tif 000012
【図１１】
2005166085.tif 000013
【図１２】
2005166085.tif 000014
【図１３】
2005166085.tif 000015
【図１４】
2005166085.tif 000016
【図１５】
2005166085.tif 000017
【図１６】
2005166085.tif 000018
【図１７】
2005166085.tif 000019
【図１８】
2005166085.tif 000020
【図１９】
2005166085.tif 000021